(57)【要約】【課題】カバーを容易に取付けることができるようにする。【解決手段】インバータ内蔵のケース部２に、ケース部２を挟んで接続端子部３と電球型蛍光灯本体４とが一体連結され、ケース部２が上側よりも下側を大径に形成した吊り下げ部を有する蛍光灯５と、その蛍光灯５の少なくとも電球型蛍光灯本体４を覆うカバー６とを有する照明装置１である。カバー６は、吊り下げ部に吊り下げ支持されるとともに取付部７ｃを有する環状の支持部材７と、この支持部材７の取付部７ｃに取付けられる被取付部８ｃを有し、蛍光灯本体４を覆う状態に被取付部８ｃが取付部７ｃに下方から取付けられる着脱可能なカバー本体８とを備え、取付部７ｃと被取付部８ｃとが、支持部材７とカバー本体８との軸心方向への相対的な接離により係脱される構成となっている。【選択図】図１
0003130862.tif 000002
【実用新案登録請求の範囲】
【請求項１】
インバータ内蔵のケース部に、このケース部を挟んで接続端子部と電球型蛍光灯本体とが一体連結され、上記ケース部が上側よりも下側を大径に形成した吊り下げ部を有する蛍光灯と、その蛍光灯の少なくとも電球型蛍光灯本体を覆うカバーとを有する照明装置であって、
上記カバーは、上記吊り下げ部に吊り下げ支持されるとともに取付部を有する環状の支持部材と、この支持部材の取付部に取付けられる被取付部を有し、上記蛍光灯本体を覆う状態に上記被取付部が上記取付部に下方から取付けられる着脱可能なカバー本体とを備え、上記取付部と上記被取付部とが、上記支持部材と上記カバー本体との軸心方向への相対的な接離により係脱される構成となっていることを特徴とする照明装置。
【請求項２】
請求項１に記載の照明装置において、
前記カバー本体には、前記被取付部と同心状に前記蛍光灯本体を通す開口が設けられ、上記被取付部が上記開口よりも大径に形成されていることを特徴とする照明装置。
【請求項３】
インバータ内蔵のケース部に、このケース部を挟んで接続端子部と電球型蛍光灯本体とが一体連結され、上記ケース部に取付部が設けられた蛍光灯と、上記取付部に取付けられる被取付部を有し、少なくとも上記電球型蛍光灯本体を覆う状態に上記被取付部が上記取付部に上記電球型蛍光灯本体側から取付けられる着脱可能なカバーとを備え、上記取付部と上記被取付部とが、上記支持部材と上記カバーとの軸心方向への相対的な接離により係脱される構成となっていることを特徴とする照明装置。
【請求項４】
請求項３に記載の照明装置において、
前記カバーには、前記被取付部と同心状に前記蛍光灯本体を通す開口が設けられ、上記被取付部が上記開口よりも大径に形成されていることを特徴とする照明装置。
【請求項５】
インバータ内蔵のケース部に、このケース部を挟んで接続端子部と電球型蛍光灯本体とが一体連結された蛍光灯と、その蛍光灯の接続端子部が着脱自在に取付けられるとともに外周部に取付部が設けられたソケットと、そのソケットの取付部に取付けられる被取付部を有し、少なくとも上記電球型蛍光灯本体を覆う状態に上記被取付部が上記取付部に上記電球型蛍光灯本体側から取付けられる着脱可能なカバーとを備え、上記取付部と上記被取付部とが、上記支持部材と上記カバーとの軸心方向への相対的な接離により係脱される構成となっていることを特徴とする照明装置。
【請求項６】
請求項５に記載の照明装置において、
前記カバーには、前記被取付部と同心状に前記蛍光灯本体を通す開口が設けられ、上記被取付部が上記開口よりも大径に形成されていることを特徴とする照明装置。
【請求項７】
インバータ内蔵のケース部に、このケース部を挟んで接続端子部と電球型蛍光灯本体とが一体連結され、上記ケース部が上側よりも下側を大径に形成した吊り下げ部を有する蛍光灯に対し、少なくとも電球型蛍光灯本体を覆うように設けられるカバーであって、
上記吊り下げ部に吊り下げ支持されるとともに取付部を有する環状の支持部材と、この支持部材の取付部に取付けられる被取付部を有し、上記蛍光灯本体を覆う状態に上記被取付部が上記取付部に下方から取付けられる着脱可能なカバー本体とを備え、上記取付部と上記被取付部とが、上記支持部材と上記カバー本体との軸心方向への相対的な接離により係脱される構成となっていることを特徴とするカバー。
【請求項８】
請求項７に記載のカバーにおいて、
前記カバー本体には、前記被取付部と同心状に前記蛍光灯本体を通す開口が設けられ、上記被取付部が上記開口よりも大径に形成されていることを特徴とするカバー。 
【考案の詳細な説明】
【技術分野】
【０００１】
本考案は、電球型蛍光灯を覆うカバーおよび照明装置に関する。
【背景技術】
【０００２】
上述した電球型蛍光灯を用いた照明装置として、図６に示す構成のものが知られている（例えば特開２０００−２１５７２３号公報参照）。この照明装置１００は、電球型蛍光灯１０１の口金１０２側から取付器具１０３を取付け、口金１０２よりも大径のインバータ内蔵ケース部１０４で取付器具１０３を落下しないように支持させ、その取付器具１０３の上方から蛍光灯本体１０６を覆うようにカバー１０５を被せ、取付器具１０３の周りに複数（図示例では４つ）設けた脚部１０３ａにカバー１０５の上端部１０５ａを取付けるように構成されている。
【考案の開示】
【考案が解決しようとする課題】
【０００３】
ところで、上記背景技術においては、上述したように取付器具１０３の上側から被せることでカバー１０５の取付けを行っている。その理由は、上方の取付側のみならず下方も開いている概略筒状をしたカバー１０５を用いるからである。
【０００４】
したがって、蛍光灯本体１０６の下方を覆う底部付きカバーを取付ける場合には、当然のことながら上側からの取付け自体が不可能であるので、底部付きカバーの場合には、当然のことながら下方から上方に向けて取付けることになる。
【０００５】
しかしながら、上記背景技術において、底部の有無に拘わらず、蛍光灯に対して蛍光灯本体側からカバーを取付けようとすると、複数ある脚部１０３ａを内側に撓ませる動作を全部または一部の脚部１０３ａに対して手操作により行う必要があり、取付け作業が煩わしいという難点がある。
【０００６】
本考案は、このような従来技術の課題を解決するためになされたものであり、カバーを容易に取付けることができる照明装置およびカバーを提供することを目的とする。
【課題を解決するための手段】
【０００７】
本考案の請求項１の照明装置は、インバータ内蔵のケース部に、このケース部を挟んで接続端子部と電球型蛍光灯本体とが一体連結され、上記ケース部が上側よりも下側を大径に形成した吊り下げ部を有する蛍光灯と、その蛍光灯の少なくとも電球型蛍光灯本体を覆うカバーとを有する照明装置であって、上記カバーは、上記吊り下げ部に吊り下げ支持されるとともに取付部を有する環状の支持部材と、この支持部材の取付部に取付けられる被取付部を有し、上記蛍光灯本体を覆う状態に上記被取付部が上記取付部に下方から取付けられる着脱可能なカバー本体とを備え、上記取付部と上記被取付部とが、上記支持部材と上記カバー本体との軸心方向への相対的な接離により係脱される構成となっていることを特徴とする。
【０００８】
本考案の請求項２の照明装置は、請求項１に記載の照明装置において、前記カバー本体には、前記被取付部と同心状に前記蛍光灯本体を通す開口が設けられ、上記被取付部が上記開口よりも大径に形成されていることを特徴とする。
【０００９】
本考案の請求項３の照明装置は、インバータ内蔵のケース部に、このケース部を挟んで接続端子部と電球型蛍光灯本体とが一体連結され、上記ケース部に取付部が設けられた蛍光灯と、上記取付部に取付けられる被取付部を有し、少なくとも上記電球型蛍光灯本体を覆う状態に上記被取付部が上記取付部に上記電球型蛍光灯本体側から取付けられる着脱可能なカバーとを備え、上記取付部と上記被取付部とが、上記支持部材と上記カバーとの軸心方向への相対的な接離により係脱される構成となっていることを特徴とする。
【００１０】
本考案の請求項４の照明装置は、請求項３に記載の照明装置において、前記カバーには、前記被取付部と同心状に前記蛍光灯本体を通す開口が設けられ、上記被取付部が上記開口よりも大径に形成されていることを特徴とする。
【００１１】
本考案の請求項５の照明装置は、インバータ内蔵のケース部に、このケース部を挟んで接続端子部と電球型蛍光灯本体とが一体連結された蛍光灯と、その蛍光灯の接続端子部が着脱自在に取付けられるとともに外周部に取付部が設けられたソケットと、そのソケットの取付部に取付けられる被取付部を有し、少なくとも上記電球型蛍光灯本体を覆う状態に上記被取付部が上記取付部に上記電球型蛍光灯本体側から取付けられる着脱可能なカバーとを備え、上記取付部と上記被取付部とが、上記支持部材と上記カバーとの軸心方向への相対的な接離により係脱される構成となっていることを特徴とする。
【００１２】
本考案の請求項６の照明装置は、請求項５に記載の照明装置において、前記カバーには、前記被取付部と同心状に前記蛍光灯本体を通す開口が設けられ、上記被取付部が上記開口よりも大径に形成されていることを特徴とする。
【００１３】
本考案の請求項７のカバーは、インバータ内蔵のケース部に、このケース部を挟んで接続端子部と電球型蛍光灯本体とが一体連結され、上記ケース部が上側よりも下側を大径に形成した吊り下げ部を有する蛍光灯に対し、少なくとも電球型蛍光灯本体を覆うように設けられるカバーであって、上記吊り下げ部に吊り下げ支持されるとともに取付部を有する環状の支持部材と、この支持部材の取付部に取付けられる被取付部を有し、上記蛍光灯本体を覆う状態に上記被取付部が上記取付部に下方から取付けられる着脱可能なカバー本体とを備え、上記取付部と上記被取付部とが、上記支持部材と上記カバー本体との軸心方向への相対的な接離により係脱される構成となっていることを特徴とする。
【００１４】
本考案の請求項８のカバーは、請求項７に記載のカバーにおいて、前記カバー本体には、前記被取付部と同心状に前記蛍光灯本体を通す開口が設けられ、上記被取付部が上記開口よりも大径に形成されていることを特徴とする。
【考案の効果】
【００１５】
本考案の請求項１の照明装置にあっては、カバーの支持部材をケース部の吊り下げ部に吊り下げ、その支持部材に対してカバー本体を下方から相対的に軸心方向へ接近させていくと、取付部と被取付部とが係止し、これにより取付部に被取付部が蛍光灯本体側から取付けられる。よって、支持部材とカバー本体との相対的な接近操作のみで、電球型蛍光灯本体を覆うように支持部材にカバー本体を取付けることが可能になり、前述の背景技術による場合のように撓ませる手操作を不要にでき、蛍光灯に対してカバーを容易に取付けることができる。
【００１６】
また、本考案の請求項２の照明装置にあっては、カバー本体に設けられた開口が蛍光灯本体を通すように設けられている。よって、図７（ａ）、（ｂ）に示すようなケース部１００よりも蛍光灯本体１０１、１０２が軸心に直交する直径が小さい蛍光灯１００Ａ、１００Ｂに限らず、図７（ｃ）に示すようなケース部１００よりも蛍光灯本体１０３が軸心に直交する直径が大きい蛍光灯１００Ｃに対しても、何ら支障なく支持部材に対してカバー本体を下方から相対的に接近させ得る。このとき、カバー本体の被取付部が開口よりも大径に形成されているので、被取付部がカバー本体と支持部材との接近を許容し、上述した種々の蛍光灯１００Ａ、１００Ｂ、１００Ｃに対して、カバーを容易に取付けることが可能となる。
【００１７】
本考案の請求項３の照明装置にあっては、ケース部の取付部に対してカバーを蛍光灯本体側から相対的に軸心方向へ接近させていくと、取付部と被取付部とが係止し、これにより取付部に被取付部が蛍光灯本体側から取付けられる。よって、ケース部とカバーとの相対的な接近操作のみで、少なくとも電球型蛍光灯本体を覆うようにケース部にカバーを取付けることが可能になり、背景技術による場合のように撓ませる手操作を不要にでき、蛍光灯に対してカバーを容易に取付けることができる。
【００１８】
また、本考案の請求項４の照明装置にあっては、カバーに設けられた開口が蛍光灯本体を通すように設けられている。よって、上述した蛍光灯１００Ａ、１００Ｂ、１００Ｃに対して、何ら支障なくカバーを蛍光灯本体側から相対的に接近させ得る。このとき、カバーの被取付部が開口よりも大径に形成されているので、被取付部がカバーとケース部との接近を許容し、上記種々の蛍光灯１００Ａ、１００Ｂ、１００Ｃに対して、カバーを容易に取付けることが可能となる。
【００１９】
本考案の請求項５の照明装置にあっては、ソケット部の取付部に対してカバーを蛍光灯本体側から相対的に軸心方向へ接近させていくと、取付部と被取付部とが係止し、これにより取付部に被取付部が蛍光灯本体側から取付けられる。よって、ソケット部とカバーとの相対的な接近操作のみで、少なくとも電球型蛍光灯本体を覆うようにソケット部にカバーを取付けることが可能になり、背景技術による場合のように撓ませる手操作を不要にでき、蛍光灯に対してカバーを容易に取付けることができる。
【００２０】
また、本考案の請求項６の照明装置にあっては、カバーに設けられた開口が蛍光灯本体を通すように設けられている。よって、上述した蛍光灯１００Ａ、１００Ｂ、１００Ｃに対して、何ら支障なくカバーを蛍光灯本体側から相対的に接近させ得る。このとき、カバーの被取付部が開口よりも大径に形成されているので、被取付部がカバーとソケット部との接近を許容し、上記種々の蛍光灯１００Ａ、１００Ｂ、１００Ｃに対して、カバーを容易に取付けることが可能となる。
【００２１】
本考案の請求項７のカバーにあっては、カバーの支持部材をケース部の吊り下げ部に吊り下げ、その支持部材に対してカバー本体を下方から相対的に軸心方向へ接近させていくと、取付部と被取付部とが係止し、これにより取付部に被取付部が蛍光灯本体側から取付けられる。よって、支持部材とカバー本体との相対的な接近操作のみで、電球型蛍光灯本体を覆うように支持部材にカバー本体を取付けることが可能になり、背景技術による場合のように撓ませる手操作を不要にでき、蛍光灯に対してカバーを容易に取付けることができる。また、このカバーにあっては、市販されている蛍光灯に対し、カバーを別途用意することで対応することができるという利点がある。更に、カバー本体は、発熱量の少ない電球型蛍光灯本体を覆うので、仮に樹脂製のものを使用することにより軽量化を図ることが可能になる。
【００２２】
また、本考案の請求項８のカバーにあっては、カバー本体に設けられた開口が蛍光灯本体を通すように設けられている。よって、上述した蛍光灯１００Ａ、１００Ｂ、１００Ｃに対して、何ら支障なく支持部材に対してカバー本体を下方から相対的に接近させ得る。このとき、カバー本体の被取付部が開口よりも大径に形成されているので、被取付部がカバー本体と支持部材との接近を許容し、上記種々の蛍光灯１００Ａ、１００Ｂ、１００Ｃに対して、カバーを容易に取付けることが可能となる。
【考案を実施するための最良の形態】
【００２３】
以下に、本考案を具体的に説明する。
【００２４】
（第１実施形態）
図１は、本考案の第１実施形態に係る照明装置を示す分解図（正面図）である。
【００２５】
この照明装置１は、インバータ内蔵のケース部２を挟んで接続端子部（この実施形態では口金）３と、電球型蛍光灯本体４とが一体連結された、一般に市販されている蛍光灯５と、その蛍光灯５の少なくとも電球型蛍光灯本体４を覆うカバー６とを有する。
【００２６】
上記蛍光灯５は、上述した図７（ｂ）に示す蛍光灯１００Ｂに相当するものであり、口金３を上側に電球型蛍光灯本体４を下側にして口金３が図２に示すソケット９に取付けられる。この蛍光灯５におけるケース部２は、口金３側が徐々に細く、蛍光灯本体４側が徐々に太くなった弾丸状に形成され、口金３側（上側）から蛍光灯本体４側（下側）までが口金３よりも直径を大きくなしてあって、そのケース部２は吊り下げ部として機能する。
【００２７】
上記カバー６は、環状の支持部材７とカバー本体８とを有する。環状の支持部材７は、上記ケース部２に同心状に吊り下げ支持されるもので、ケース部２が入る凹部７ａを有し、その凹部７ａの外側の庇部７ｂにはカバー本体８が取付けられる取付部７ｃが設けられている。その取付部７ｃとして、例えば環状凹部が形成されている。
【００２８】
カバー本体８は、上記支持部材７に同心状に取付けられて電球型蛍光灯本体４を覆うもので、電球型蛍光灯本体４の下方に開口が無く、上方にのみ取付用の開口８ａが設けられている。その開口８ａを形成する上縁部８ｂの外面側には被取付部８ｃとして、例えば環状凸部が形成されている。
【００２９】
このように構成されたカバー６は、次のように取付けられる。
【００３０】
上記ケース部２の上から支持部材７の凹部７ａを被せる。これにより、支持部材７をケース部２に吊り下げ支持させる。続いて、開口８ａ内に蛍光灯本体４が入るようにしてカバー本体８を支持部材７に対し蛍光灯５の軸心方向Ｘに接近させる。これにより図３に示すように支持部材７における取付部（環状凹部）７ｃに、下方からカバー本体８における被取付部（環状凸部）８ｃが係止され、蛍光灯本体４とケース部２がカバー６にて覆われる。また、逆の手順により、カバー６が蛍光灯５から外される。なお、取付部（環状凹部）７ｃと被取付部（環状凸部）８ｃの係脱を相対的な接離により可能にすべく、支持部材７とカバー本体８との少なくとも一方は撓み変形する材料で形成している。
【００３１】
したがって、この第１実施形態のカバー６および照明装置にあっては、カバー６の支持部材７をケース部２に吊り下げ、その支持部材７に対してカバー本体８を下方から相対的に軸心方向へ接近させていくと、被取付部８ｃと取付部７ｃとが係止し、これにより被取付部８ｃに取付部７ｃが蛍光灯本体４側から取付けられる。よって、支持部材７とカバー本体８との相対的な接近操作のみで、電球型蛍光灯本体４を覆うように支持部材７にカバー本体８を取付けることが可能になり、背景技術による場合のように撓ませる手操作を不要にでき、蛍光灯５に対してカバー６を容易に取付けることができる。
【００３２】
また、この第１実施形態にあっては市販の蛍光灯に対し、カバーを別途用意することで対応することができるという利点がある。
【００３３】
なお、この第１実施形態では、前述した蛍光灯１００Ｂにカバーを取付ける例を挙げて説明しているが、本考案はこれに限らず、前述した蛍光灯１００Ａにカバーを取付ける場合にも同様に適用でき、更には、第１実施形態の取付部７ｃの直径Ｅと被取付部８ｃの直径Ｆとを、図７（ｃ）に示す蛍光灯１００Ｃにおける蛍光灯本体１０３の前記軸心方向Ｘと直交する方向での直径Ｄよりも大径にすることで、蛍光灯１００Ｃに対しても同様に取付けることができる。
【００３４】
また、この第１実施形態では、支持部材７に環状凹部７ｃを形成し、カバー本体８に、環状凹部７ｃへ入込む環状凸部８ｃを形成しているが、本考案はこれに限らない。例えば、支持部材に環状凸部を形成し、カバー本体に環状凸部が入込む環状凹部を形成してもよく、或いは、支持部材とカバー本体とに相互に係止状態になる環状凸部を形成してもよい。
【００３５】
更に、この第１実施形態では支持部材７およびカバー本体８に別意匠のものを用意するか、或いは、カバー本体８のみ別意匠のものを用意しておき、支持部材７またはカバー本体８を交換して用いることにより外観や部屋などの雰囲気を変えることが可能になる。
【００３６】
（第２実施形態）
図４は、本考案の第２実施形態に係る照明装置を示す分解図（正面図）である。
【００３７】
この照明装置１０は、インバータ内蔵のケース部１２を挟んで接続端子部（この実施形態では口金）１３と電球型蛍光灯本体１４とが一体連結された蛍光灯１５と、少なくとも電球型蛍光灯本体１４を覆うように取付けられる着脱可能なカバー１６とを有する。
【００３８】
上記ケース部１２には外方に突出した突出部１７が設けられていて、その突出部１７の先端の内面側には取付止部１７ａとして、例えば環状凹部が形成されている。この突出部１７は、市販の蛍光灯の場合には別途作製した環状のものを、接着、ねじ止めなどによりケース部１２に取付けることにより形成することができる。或いは、一体成形によりケース部１２が突出部１７を有する構成に形成したものを用いてもよい。
【００３９】
上記カバー１６は、第１実施形態のカバー本体８に相当するもので、上記突出部１７の取付部１７ａに取付けられて電球型蛍光灯本体１４を同心状に覆うもので、電球型蛍光灯本体１４の下方に開口が無く、上方にのみ取付用の開口１６ａが設けられている。その開口１６ａを形成する上縁部１６ｂの外面側には上記取付部１７ａに取付けるための被取付部１６ｃとして、例えば環状凸部が形成されている。
【００４０】
したがって、この第２実施形態にあっては、ケース部１２の取付部１７ａに対してカバー１６を蛍光灯本体１４側から相対的に蛍光灯１５の軸心方向Ｘへ接近させていくと、取付部１７ａと被取付部１６ｃとが係止し、これにより取付部１７ａに被取付部１６ｃが蛍光灯本体１４側から取付けられる。また、逆の手順によりカバー１６が蛍光灯１５から外れる。なお、取付部１７ａと被取付部１６ｃとの係脱を相対的な接離により可能にすべく、本実施形態ではケース部１２とカバー１６との少なくとも一方は、撓み変形する材料で形成している。
【００４１】
よって、この第２実施形態による場合には、ケース部１２とカバー１６との相対的な軸心方向への接近操作のみで、少なくとも電球型蛍光灯本体１４を覆うようにケース部１２にカバー１６を取付けることが可能になり、背景技術による場合のように撓ませる手操作を不要にでき、蛍光灯１５に対してカバー１６を容易に取付けることができる。
【００４２】
また、この第２実施形態でも、前述した蛍光灯１００Ｂにカバーを取付ける例を挙げて説明しているが、前述した蛍光灯１００Ａにカバーを取付ける場合にも同様に適用でき、更には、第２実施形態の取付部１７ａの直径Ｅと被取付部１６ｃの直径Ｆとを、図７（ｃ）に示す蛍光灯１００Ｃにおける蛍光灯本体１０３の直径Ｄよりも大径にすることで、蛍光灯１００Ｃに対しても同様に取付けることができる。
【００４３】
なお、この第２実施形態では、取付部１７ａに環状凹部を形成し、被取付部１６ｃに、環状凹部へ入込む環状凸部を形成しているが、本考案はこれに限らない。例えば、取付部に環状凸部を形成し、被取付部に環状凸部が入込む環状凹部を形成してもよく、或いは、取付部と被取付部とに相互に係止状態になる環状凸部を形成してもよい。
【００４４】
また、この第２実施形態ではカバー１６に別意匠のものを用意しておき、カバー１６を交換して用いることにより外観や部屋などの雰囲気を変えることが可能になる。
【００４５】
（第３実施形態）
図５は、本考案の第３実施形態に係る照明装置を示す分解図（正面図）である。
【００４６】
この照明装置２０は、インバータ内蔵のケース部２１を挟んで接続端子部（この実施形態では口金）２２と電球型蛍光灯本体２３とが一体連結された蛍光灯２４と、その蛍光灯２４の口金２２が着脱自在に取付けられるソケット２５と、そのソケット２５に取付けられるカバー２６とを有する。
【００４７】
ソケット２５には、上端外周部２７の内面側に取付部２７ａとして、例えば環状凹部が形成されている。
【００４８】
カバー２６は、上記取付部２７ａに取付けられて電球型蛍光灯本体２３を同心状に覆うもので、電球型蛍光灯本体２３の下方に開口が無く、上方にのみ取付用の開口２６ａが設けられている。その開口２６ａを形成する上縁部２６ｂの外面側には被取付部２６ｃとして、例えば環状凸部が形成されている。
【００４９】
したがって、この第３実施形態にあっては、ソケット２５の取付部２７ａに対してカバー２６を蛍光灯本体２３側から相対的に蛍光灯２４の軸心方向Ｘへ接近させていくと、取付部２７ａと被取付部２６ｃとが係止し、これにより取付部２７ａに被取付部２６ｃが蛍光灯本体２３側から取付けられる。また、逆の手順によりカバー２６がソケット２５から外れる。なお、取付部２７ａと被取付部２６ｃとの係脱を相対的な接離により可能にすべく、本実施形態ではソケット２５とカバー２６との少なくとも一方は、撓み変形する材料で形成している。
【００５０】
よって、ソケット２５とカバー２６との相対的な軸心方向Ｘへの接近操作のみで、少なくとも電球型蛍光灯本体２３を覆うようにソケット２５にカバー２６を取付けることが可能になり、背景技術による場合のように撓ませる手操作を不要にでき、蛍光灯２４に対してカバー２６を容易に取付けることができる。
【００５１】
また、この第３実施形態でも、前述した蛍光灯１００Ｂにカバーを取付ける例を挙げて説明しているが、前述した蛍光灯１００Ａにカバーを取付ける場合にも同様に適用でき、更には、第３実施形態の取付部２７ａの直径Ｅと被取付部２６ｃの直径Ｆとを、図７（ｃ）に示す蛍光灯１００Ｃにおける蛍光灯本体１０３の直径Ｄよりも大径にすることで、蛍光灯１００Ｃに対しても同様に取付けることができる。
【００５２】
なお、この第３実施形態では、取付部２７ａに環状凹部を形成し、被取付部２６ｃに、環状凹部へ入込む環状凸部を形成しているが、本考案はこれに限らない。例えば、取付部に環状凸部を形成し、被取付部に環状凸部が入込む環状凹部を形成してもよく、或いは、取付部と被取付部とに相互に係止状態になる環状凸部を形成してもよい。
【００５３】
また、この第３実施形態ではカバー２６に別意匠のものを用意しておき、カバー２６を交換して用いることにより外観や部屋などの雰囲気を変えることが可能になる。
【００５４】
なお、上述した第２、第３実施形態では口金と蛍光灯本体を軸心方向の上下にして配置する場合を例に挙げているが、本考案はこれに限らない。例えば、軸心方向を斜めにし、或いは水平にして配置する場合にも適用することができる。
【００５５】
また、上述した第１〜第３実施形態ではケース部に一体連結される接続端子部に口金を用いた例を説明しているが、本考案はこれに限らない。例えば、図８（ａ）に示すように一対の係止孔１１１とこれに対応する位置に配置された一対の給電側端子（図示せず）とを有する引っ掛けシーリングからなるソケット１１０に取付けられるもので、鈎形に形成された一対の接続端子部１２１を有する蛍光灯１２０Ａに対しても、本考案は前同様に適用することができる。また、本考案は、図８（ｂ）および（ｃ）に示すように、端面部１１２、１１３に所定形状の取付用開口１１４、１１５を有するとともに内部に給電用端子（図示せず）を配置したソケット１１６、１１７に取付けられるもので、上記開口１１４、１１５に対応する肉部を有する突出部１２２、１２３を有し、その突出部１２２、１２３の周りに一対の端子（電極）が設けられた蛍光灯１２０Ｂ、１２０Ｃに対しても、本考案は前同様に適用することができる。
【００５６】
更に、上述した第１〜第３実施形態ではカバー本体８、カバー１６、およびカバー２６の材質につき明言していないが、発熱量の少ない電球型蛍光灯本体４、１４、２３を覆うため、樹脂製のものを使用することができ、これによりカバー本体やカバーの軽量化を図ることができる。また、このような樹脂製のカバー本体やカバーの製造方法としては、開口８ａ、１６ａ、２６ａが他の部分に対して小径であり、かつ開口８ａ、１６ａ、２６ａに被取付部８ｃ、１６ｃ、２６ｃが設けられていて、作製し難い構成であるが、本願出願人による特願２００５−１２９１７５の技術、つまりホルダが一体に取付けられたパリソンを作製してそのパリソンの外径を膨らませる技術を用いることで製作が可能である。
【図面の簡単な説明】
【００５７】
【図１】本考案の第１実施形態に係る照明装置を示す分解図（正面図）である。
【図２】本考案の第１実施形態に係る照明装置が取付けられるソケットを斜め下方から見た図である。
【図３】本考案の第１実施形態に係る照明装置を示す正面図（蛍光灯を省略）である。
【図４】本考案の第２実施形態に係る照明装置を示す分解図（正面図）である。
【図５】本考案の第３実施形態に係る照明装置を示す正面図である。
【図６】電球型蛍光灯にカバーを取付けた従来の照明装置の例を示す外観斜視図である。
【図７】電球型蛍光灯における蛍光灯本体の種類の説明図である。
【図８】電球型蛍光灯における接続端子部の種類の説明図である。
【符号の説明】
【００５８】
１、１０、２０    照明装置
２、１２、２１    ケース部
３、１３、２２    口金
４、１４、２３    電球型蛍光灯本体
５、１５、２４    蛍光灯
６、１６、２６    カバー
７    支持部材
８    カバー本体
７ｃ、１７ａ、２７ａ    取付部
８ｃ、１６ｃ、２６ｃ    被取付部
９、２５    ソケット
【図１】
0003130862.tif 000003
【図２】
0003130862.tif 000004
【図３】
0003130862.tif 000005
【図４】
0003130862.tif 000006
【図５】
0003130862.tif 000007
【図６】
0003130862.tif 000008
【図７】
0003130862.tif 000009
【図８】
0003130862.tif 000010